(57)【要約】      （修正有）【課題】濡れた紙幣であっても、加熱ローラと温風によって紙幣を十分に乾燥させ、紙幣の読み取りを可能にさせる紙幣処理装置を提供する。【解決手段】紙幣処理装置は、識別部と引伸ばし部１０８とを備える。識別部は、紙幣の真偽を識別する。引伸ばし部１０８は、識別部が紙幣の真偽を識別できなかった場合に、紙幣の乾燥及び引伸ばしをする。引伸ばし部１０８は、搬送装置２０１と回転ローラと送風装置２０３ａ〜２０３ｂを備える。搬送装置２０１は、紙幣を搬送する。回転ローラは、紙幣を搬送装置２０１に押し付け、紙幣の搬送方向と逆方向に回転する。送風装置２０３ａ〜２０３ｂは、紙幣に送風する。【選択図】図３
2014215811.tif 000002
【特許請求の範囲】
【請求項１】
紙幣処理装置は、
紙幣の真偽を識別する識別部と、
前記識別部が、前記紙幣の真偽を識別できなかった場合に、前記紙幣の乾燥及び引伸ばしをする引伸ばし部とを備え、
前記引伸ばし部は、
前記紙幣を搬送する搬送装置と、
前記紙幣を前記搬送装置に押し付け、前記紙幣の搬送方向と逆方向に回転する回転ローラと、
前記紙幣の面に送風する第１の送風装置を備える
ことを特徴とする紙幣処理装置。
【請求項２】
前記回転ローラは、加熱ローラである
ことを特徴とする請求項１記載の紙幣処理装置。
【請求項３】
前記加熱ローラは、前記加熱ローラの表面または内部に実装された発熱部材によって加熱される
ことを特徴とする請求項２記載の紙幣処理装置。
【請求項４】
前記第１の送風装置が送風する前記紙幣の面と反対側の面に送風する第２の送風装置を更に備える
ことを特徴とする請求項１に記載の紙幣処理装置。
【請求項５】
前記搬送装置は、前記紙幣と接する表面に複数の通風孔を有し、前記第１の送風装置は、前記複数の通風孔を通して前記紙幣に風を送風する
ことを特徴とする請求項１に記載の紙幣処理装置。
【請求項６】
前記引伸ばし部を通過した後に、再び前記紙幣の真偽の識別を行う
ことを特徴とする請求項１〜５の何れかに記載の紙幣処理装置。
【請求項７】
紙幣処理装置は、
紙幣の真偽を識別する識別部と、
前記識別部が、前記紙幣の真偽を識別できなかった場合に、前記紙幣の乾燥及び引伸ばしをする引伸ばし部とを備え、
前記引伸ばし部は、
前記紙幣を前記搬送装置に押し付け、前記紙幣の搬送方向と逆方向に回転する回転ローラと、
ヒーターと温風を送風する送風装置を備え、
前記ヒーターは、前記搬送装置を加熱し、
加熱された前記搬送装置が前記紙幣を加熱し、
前記送風装置は、前記紙幣の表面に温風を送風する
ことを特徴とする紙幣処理装置。
【請求項８】
前記引伸ばし部を通過した後に、再び前記紙幣の真偽の識別を行う
ことを特徴とする請求項７に記載の紙幣処理装置。
【発明の詳細な説明】
【技術分野】
【０００１】
本発明は、紙幣の読み取り装置に関する。
【背景技術】
【０００２】
公営競技に導入されている投票端末は、半屋外に設置されることがある。そのため雨天時、ユーザが使用する紙幣が濡れてしまい、ユーザが、濡れた紙幣を投票端末に挿入することがありうる。濡れた紙幣は、投票端末での読み取り不良や、詰まりの原因となる。投票端末で読み取り不良とされた紙幣は、ユーザに返却される。投票券の発売締め切り間際で紙幣の詰まりが起こった場合や、返却された紙幣を何回も挿入・返却を繰り返し、ユーザが時間内に投票券を購入できない場合、ファントラブルとなることもある。濡れた紙幣であっても、紙幣を乾燥させ、紙幣の読み取りを可能にさせることが好ましい。
【０００３】
紙幣を乾燥させる技術として、加熱ロールによる加熱によって紙幣のしわを伸ばし、乾燥させる装置が知られている。（例えば、特許文献１〜特許文献３）
【先行技術文献】
【特許文献】
【０００４】
【特許文献１】特開平９−４０２６２号公報
【特許文献２】特開２０００−２６８２２７号公報
【特許文献３】特開平８−２３５４１０号公報
【発明の概要】
【発明が解決しようとする課題】
【０００５】
上述した背景技術では以下のような問題がある。
本発明は、このような点に鑑みてなされたものであり、加熱ローラの温度や、回転する速度によっては、紙幣の乾燥が十分ではない場合があり、濡れた紙幣であっても、乾燥をより十分にさせ、紙幣の読み取りを可能にさせる紙幣処理装置を提供することを目的とする。
【課題を解決するための手段】
【０００６】
紙幣処理装置は、識別部と引伸ばし部とを備える。識別部は、紙幣の真偽を識別する。引伸ばし部は、識別部が紙幣の真偽を識別できなかった場合に、紙幣の乾燥及び引伸ばしをする。引伸ばし部は、搬送装置と回転ローラと送風装置を備える。搬送装置は、紙幣を搬送する。回転ローラは、紙幣を搬送装置に押し付け、紙幣の搬送方向と逆方向に回転する。送風装置は、紙幣に送風する。
【発明の効果】
【０００７】
回転ローラと送風によって紙幣を十分に乾燥させることができる。
【図面の簡単な説明】
【０００８】
【図１】実施形態に係る投票端末の例を示すブロック図である。
【図２】制御部のハードウェア構成の例を示す図である。
【図３】実施形態に係る引伸ばし部の例を示す図である。
【図４】金属板の形状の例を説明する四面図である。
【図５】２つの金属板を連結する例を示す斜視図である。
【図６】搬送装置と金属板の関係の例を示す図である。
【図７】加熱ローラの構造例を示す斜視図である。
【図８】加熱ローラの例を説明する三面図である。
【図９】実施形態に係る紙幣処理装置の処理の例を示すフローチャートである。
【発明を実施するための形態】
【０００９】
以下、本実施形態について、図面を参照しながら詳細に説明する。
本実施形態において、投票端末は、濡れた紙幣がユーザによって挿入された場合であっても、紙幣を乾燥させ、紙幣の読み取りができるようにする。
【００１０】
図１は、実施形態に係る投票端末の例を示すブロック図である。投票端末は、紙幣処理装置１００、制御部１０５、発券部１０６、投票受付部１０９を備える。紙幣処理装置１００は、入金口部１０１、経路１０２、識別部１０３、格納部１０４、出金口部１０７、引伸ばし部１０８を有する。投票受付部１０９は、ユーザが購入を希望する投票券の情報を、ユーザの画面操作やユーザが挿入する購入用の用紙により受け付ける。ユーザが購入を希望する投票券に関する情報は、投票券の情報や投票券の購入に必要な金額が含まれる。ユーザが購入を希望する投票券に関する情報は、制御部１０５に送られる。入金口部１０１は、ユーザが、紙幣を挿入し、入金するための入金口である。入金口部１０１に挿入された紙幣は、経路１０２を介して、識別部１０３に送られる。識別部１０３は、挿入された紙幣が、正常に読み取りできる紙幣であるかを識別する。識別部１０３は、正常に紙幣を読み取れた場合、紙幣を格納部１０４に送る。格納部１０４は、送られてきた紙幣を紙幣スタッカに格納する。識別部１０３は、紙幣を正常に読み取れた場合、制御部１０５に紙幣に関する情報を送る。制御部１０５は、紙幣処理装置１００の各種動作を制御している。また、制御部１０５は、投票受付部１０９から送られたユーザが購入を希望する投票券に関する情報を用いて、ユーザが購入した投票券の金額分の金銭が投入されているかを判断する。ユーザが購入した投票券の金額分の金銭が投入されていた場合、制御部１０５は、発券部１０６に投票券を発行するように指示する。発券部１０６は、投票券を発券する。一方、識別部１０３は、正常に紙幣を読み取れなかった場合、紙幣を引伸ばし部１０８に送る。識別部１０３は、例えば、紙幣に複数のしわや折曲がりがあると、紙幣の真偽を判断する対象の箇所を読み取れないことがある。また、識別部１０３は、紙幣が濡れていると、すかしなど、識別部１０３が紙幣の真偽を判断する対象の箇所を読み取れないことがある。引伸ばし部１０８は、識別部１０３が読み取れなかった紙幣を受け取る。引伸ばし部１０８は、紙幣を引伸ばし及び乾燥する。引伸ばし及び乾燥された紙幣は、再度識別部１０３に送られる。識別部１０３は、引伸ばし及び乾燥された紙幣を読み取れた場合、紙幣を格納部１０４に送り、制御部１０５に紙幣に関する情報を送る。一方、識別部１０３は、引伸ばし及び乾燥された紙幣を、出金口部１０７は、紙幣を出金口から出金する。
【００１１】
読み取れなかった紙幣を乾燥し、引伸ばすことで投票端末の読み取り不良や紙幣の詰まりのトラブルを減らすことができる。また、乾燥・引伸ばし後、再度識別部によって紙幣を読み取ることによって、ユーザの紙幣の挿入・返却の手間を省くことができる。
【００１２】
図２は、制御部のハードウェア構成の例を示す図である。図２の制御部は、ＣＰＵ（Central Processing Unit）、メモリ、記憶装置を有する。制御部は、図１の紙幣処理装置１００、投票受付部１０９、発券部１０６の各種動作を制御しており、各種制御処理はＣＰＵで実現される。ＣＰＵで使用される情報は、制御部のメモリ又は記憶装置に保存される。
【００１３】
図３は、実施形態に係る引伸ばし部の例を示す図である。図３（ａ）は、引伸ばし部１０８の断面図である。引伸ばし部１０８は、紙幣の引伸ばし及び乾燥を行う。引伸ばし部１０８は、搬送装置２０１、加熱ローラ２０２ａ〜２０２ｃ、送風装置２０３ａ、送風装置２０３ｂを有する。図３（ａ）の引伸ばし部の例では、矢印２１０に示されるように、搬送装置２０１と加熱ローラ２０２ａ〜２０２ｃの間を、紙幣は搬送される。搬送装置２０１の上面は、矢印２１０に示される方向に紙幣を搬送し、搬送装置２０１の下面は、紙幣の搬送方向と逆方向に移動する。搬送装置２０１は、複数の金属板２０４と一対のスプロケット２０５とを備える。金属板２０４は、搬送装置２０１の表面にあり、紙幣を搬送する板であり、送風装置２０３からの温風を通す後述する通風孔があいている。また、金属板２０４に通風孔があることにより、濡れた紙幣がくっつきにくいようになっている。複数の金属板２０４は、連結され、紙幣の長辺の大きさよりも離して配された１対のスプロケット２０５に巻き掛けられている。１対のスプロケット２０５の周囲を周回することで、連結された複数の金属板２０４は、搬送装置２０１の上面を紙幣の搬送方向に動く。加熱ローラ２０２は、搬送装置２０１の上方に設置され、紙幣を搬送装置２０１に押し付け、紙幣を引き伸ばす。加熱ローラ２０２は、紙幣の搬送方向と逆方向に回転することで、紙幣を引伸ばす。同時に、加熱ローラ２０２は、紙幣を加熱し、紙幣に含まれる水分を蒸発させる。送風装置２０３は、紙幣の表面に風を送風し、紙幣を乾燥させる。尚、温風を送風することが好ましい。図３（ａ）の引伸ばし部の例では、送風装置２０３は、加熱ローラ２０２よりもさらに上方と、搬送装置２０１の内側に設置され、紙幣を乾燥させる。紙幣の表面を挟む方向から温風を送風することで、乾燥効果は高まる。破線で囲むエリア２１１は、送風装置２０３が温風を送風し紙幣を乾燥させるエリアである。図３（ｂ）は、搬送装置２０１と加熱ローラ２０２を上から見た図である。搬送装置２０１は、金属板２０４ａ〜金属板２０４ｆを備える。図３（ｃ）は、搬送装置２０１と加熱ローラ２０２を搬送方向から見た図である。また、図３（ｂ）と図３（ｃ）に示すように、加熱ローラ２０２の両端には、電極２０６ａ〜２０６ｃが備えられる。加熱ローラ２０２は、ローラの軸方向にコードヒータが通っている。加熱ローラ２０２は、電極２０６から電力の供給を受けると、コードヒータによって加熱される。
【００１４】
尚、ここでは、加熱ローラ２０２により加熱することが記載されているが、加熱ローラ２０２の加熱をせず、回転ローラだけで、紙幣の搬送方向と逆方向に回転することで、紙幣との回転ローラの摩擦熱により乾燥させることも可能である。また、回転ローラの摩擦と、送風装置からの送風（送風でも温風でも可）との組み合わせでも可能である。より、効果的な方法は、加熱ローラと送風装置により温風を送風することである。
【００１５】
以上、説明したように、実施形態に係る装置では、加熱ローラが、紙幣の引伸ばしをすることに加え、加熱することで紙幣を乾燥させる。更に、２つの送風装置は、紙幣の両面に温風を送風することで紙幣を乾燥させる。加熱ローラによる加熱で水分を蒸発させるだけでなく、紙幣の両面に温風を送風することで、紙幣を十分に乾燥させることができる。
【００１６】
図４と図５を用いて、金属板２０４の例を説明する。図４は、金属板２０４の形状の例を説明する四面図である。図４（ａ）は、金属板２０４を上から見た図である。金属板２０４は、平板部３０１、軸受部３０２ａと軸受部３０２ｂ、軸受部３０３を有する。また、平板部３０１は、上面３０１ｃと、前面３０１ａと、後面３０１ｂを有する。平板部３０１ｃは、平板の形状であり、平板部３０１ｃの上面から底面まで貫通する複数の通風孔３１０ａ〜通風孔３１０ｄを有する。軸受部３０３は、上面３０１ｃより、右端に上面３０１ｃより下方に配置されている。図４の通風孔３１０は、長方形で示されているものの、風を通す孔であればよく、数、形、大きさを限定するものではない。金属板２０４の前面３０１ａは、左端方に軸受部３０２ａと、他端に前端３２０ａを有する。また、後面３０１ｂは、上面３０１ｃの、前面３０１ａと対面側に設けられ、左端方に軸受部３０２ｂと、他端に３２０ｂを有する。軸受部３０２ａおよび軸受部３０２ｂは、上面３０１ｃの左端より左方向に突出するように設けられている。金属板２０４の軸受部３０３は、前面３０１ａの前端３２０ａと後面３０１ｂの後端３２０ｂより右方向に突出するように設けられている。軸受部３０２ａと軸受部までの内側の長さＬ１は、軸受部３０３の長さＬ２よりも長い。これは、複数の金属板２０４を連結させる為である。図４（ｂ）は、金属板２０４を正面から見た図である。軸受部３０２ａは、軸穴３１１ａを有し、軸受部３０２ｂは、軸穴３１１ｂを有する。軸受部３０３は、軸穴３１２を有する。図４（ｃ）は、金属板２０４を右側から見た図である。右側から見た金属板２０４は、軸受部３０３と、右側面の前端３２０ａと後端３２０ｂとを含む。図４（ｄ）は、金属板２０４を左側から見た図である。左側から見た金属板２０４は、軸受部３０２ａと軸受部３０２ｂと平板部３０１とを含む。
【００１７】
図５は、２つの金属板を連結する例を示す斜視図である。金属板２０４−１は、平板部３０１−１、軸受部３０２ａ−１と軸受部３０２ｂ−１、軸受部３０３−１とを有する。金属板２０４−２は、平板部３０１−２、軸受部３０２ａ−２と軸受部３０２ｂ−２、軸受部３０３−２とを有する。図５の斜視図では、金属板２０４−２の軸受部３０３−２は、隣接する金属板２０４−１の軸受部３０２ａ−１と軸受部３０２ｂ−１の間に位置する。軸３３０は、金属板２０４−２の軸受部３０３−２と、これを挟むように位置する金属板２０４−１の軸受部３０２ａ−１と軸受部３０２ｂ−１とを貫通する。これにより、互いに隣接する２つの金属板２０４−１と金属板２０４−２とは、軸３３０を中心に回転可能である。
【００１８】
図６は、搬送装置と金属板の関係の例を示す図である。金属板２０４を複数連結させることにより、金属板は直線にも曲面にも対応して配することができる。図６は、複数の連結された金属板２０４を、搬送装置２０１のスプロケット２０５に巻きつけた例である。複数の連結された金属板２０４が巻きついた1対のスプロケット２０５を、スプロケット２０５の中心を回転軸として同一方向に回転させることで、搬送装置２０１を実現できる。
【００１９】
次に、図７と図８を用いて、加熱ローラの例を説明する。図７は、加熱ローラの構造例を示す斜視図である。加熱ローラ２０２は、回転軸４０１と、コードヒータ４０２ａ〜コードヒータ４０２ｊと、接続部４０３ａ、接続部４０３ｂとを備える。回転軸４０１は、加熱ローラ２０２の軸線上に配されている。加熱ローラ２０２は、回転軸４０１を中心に回転可能である。コードヒータ４０２ａ〜コードヒータ４０２ｊは、加熱ローラ２０２の軸線と平行方向に配され、回転軸４０１の同心円状にある。図７のコードヒータの例は数を限定するものではない。加熱ローラ２０２は、両端に接続部４０３ａ、接続部４０３ｂを有する。接続部４０３は、コードヒータに電力を供給し、コードヒータを発熱させる。
【００２０】
図８は、加熱ローラ２０２の構造の例を説明する三面図である。図８（ａ）は、加熱ローラ２０２の軸線方向に横から見た図であり、例えば、図１（ｃ）で左側面または右側面から加熱ローラ２０２を見た図である。図８（ａ）の左図は、加熱ローラ２０２を示す図であり、回転軸４０１と、コードヒータ４０２ａ〜コードヒータ４０２ｊとを備える。尚、コードヒータは、発熱部材の一例であり、これに限定されるものではない。図８（ａ）の右図は、加熱ローラ２０２、支持部４０４を示した図である。支持部４０４は、加熱ローラ２０２の回転軸４０１を通す穴があいており、回転軸４０１を支持している。また、支持部４０４は、不図示の電極２０６を備え、接続部４０３及び回転軸４０１に電力を供給する。図８（ｂ）の加熱ローラ２０２は、図８（ａ）の左図に示す加熱ローラ２０２をＡ−Ａの面で切断した場合の断面図である。加熱ローラ２０２の構造を説明する。回転軸４０１は、加熱ローラの両端にあり、接続部４０３の中心部に配されている。回転軸４０１は導電性の部材が使用される。回転軸４０１は、電極２０６からの電流を接続部４０３に送る。接続部４０３は導電性の部材が使用される。接続部４０３ａは、コードヒータ４０２ａ〜コードヒータ４０２ｊを介して、接続部４０３ｂとで電気的に接続されている。コードヒータは、通電することで発熱する部材が使用される。図８（ｃ）は、図８（ａ）の右図を側面から見た図である。加熱ローラ２０２は、回転軸４０１、接続部４０３、ローラ部４０６の表面部４０５を備える。支持部４０４は、回転軸４０１を支持している。ローラ部４０６の表面部４０５は、シリコンや樹脂などの非導電部材であり、伝導性の高い部材等が使用される。尚、耐熱性樹脂等の部材が好ましい。また、発熱部材自体に、シリコンや樹脂などの非導電部材が使用されている場合は、そのままローラ部４０６の表面部４０５に配置することも可能である。
【００２１】
図９は、実施形態に係る紙幣処理装置の処理の例を示すフローチャートである。制御部１０５は、入金口部１０１より、紙幣が投入されたかを判断する（ステップＳ１０１）。入金口部１０１は、紙幣が投入されていない場合、ステップＳ１０１の処理を繰り返す。識別部１０３は、紙幣の読み取りが正常にできたかを判断する（ステップＳ１０１でＹＥＳ、ステップＳ１０２）。紙幣格納部１０４は、紙幣を紙幣スタッカに格納する（ステップＳ１０２でＹＥＳ、ステップＳ１０３）。発券部１０６は、投票券を発券する（ステップＳ１０４）。ステップＳ１０４が終わると、処理を終了する。一方、識別部１０３が紙幣の読み取りを正常に行えなかった場合、引伸ばし部１０８は、紙幣を引伸ばし、乾燥する（ステップＳ１０２でＮＯ，ステップＳ１０５）。識別部１０３は、紙幣に対して引伸ばし処理を行った回数をカウントし、処理を行った回数が所定の閾値を超えたかを判断する（ステップＳ１０７）。処理を行った回数が所定の閾値よりも少ない場合、処理は、Ｓ１０２から繰り返される。紙幣が読み取れなかった場合、又は、紙幣の引伸ばし処理の回数が所定の閾値を超えた場合、出金口部１０７へ紙幣を返却する（ステップＳ１０７でＹＥＳ、ステップＳ１０８）。制御部１０５は、ステップＳ１０８の処理が実行されてからの時間が、所定の閾値を超えたかを判断する（ステップＳ１０９）。ステップＳ１０８の処理が実行されてからの時間が、所定の閾値を超えていない場合、Ｓ１０８の処理を繰り返す。制御部１０５は、ステップＳ１０８の処理が実行されてからの時間が、所定の閾値を超えた場合、紙幣を取り込む（ステップＳ１０９でＹＥＳ、ステップＳ１１０）。Ｓ１１０において、紙幣は、取り忘れと判断される。出金口部１０７で取り込まれた紙幣は、紙幣スタッカ又は、取り忘れ専用のスタッカに格納される。Ｓ１１０が終了すると、紙幣処理装置の処理は終了する。
【００２２】
以上、説明したように、実施形態にかかる方法では、識別部が濡れた紙幣や皺等により正常に読み取りできなかった紙幣を、引伸ばし部によって乾燥及び引伸ばしさせる。その後、再度識別部が紙幣を識別する。読み取れなかった紙幣を乾燥し、引伸ばすことで投票端末の読み取り不良や紙幣の詰まりのトラブルを減らすことができる。また、乾燥・引伸ばし後、再度識別部によって紙幣を読み取ることによって、ユーザの紙幣の挿入・返却の手間を省くことができる。
【００２３】
＜その他＞
金属板２０４は、濡れた紙幣が張り付きにくい素材の例であり、素材を限定するものではない。
【００２４】
紙幣処理装置が稼動する際に発生させる熱を、引伸ばし部に引き入れるようにし、引伸ばし部を暖めるようにしてもよい。引伸ばし部１０８は、紙幣処理装置が稼動する際に発生させる熱を用いて一定の温度を保つようにし、紙幣が搬送されてきた場合に、紙幣の乾燥を速やかに行う。
【００２５】
図３の加熱ローラ２０２ａ〜２０２ｃは、加熱ローラ２０２ａよりも加熱ローラ２０２ｂのほうが大きく、さらに加熱ローラ２０２ｂよりも加熱ローラ２０２ｃが大きく示されている。紙幣が入ってくると、ローラが小さいほうが紙幣を巻き込みやすいため、このように設置されている。しかし、加熱ローラの大きさは同一であってもよく、限定されない。
【００２６】
図３の引伸ばし部における送風装置は、ヒーターであってもよい。送風装置２０３ａと、温風装置２０３ｂに代わるヒーター２０３ｂ´を備える引伸ばし部では、ヒーター２０３ｂ´により、搬送装置を加熱される。すると、引伸ばし部は、送風装置２０３ａが上方から紙幣の表面に温風を送風し、加熱ローラ２０２及び搬送装置２０１との加熱によって紙幣を乾燥させることが可能となる。搬送装置を加熱するヒーターを備える引伸ばし部では、搬送装置の金属板には通風孔はなくてもよい。また、ヒーター２０３ａ´とヒーター２０３ｂ´を備える引伸ばし部であってもよい。
【符号の説明】
【００２７】
１００  紙幣処理装置
１０１  入金口部
１０２  経路
１０３  識別部
１０４  格納部
１０５  制御部
１０６  発券部
１０７  出金口部
１０８  引伸ばし部
２０１  搬送装置
２０２ａ〜２０２ｃ  加熱ローラ
２０３ａ〜２０３ｂ  送風装置
２０４  金属板
２０５  スプロケット
２０６ａ〜２０６ｃ  電極
２１０  矢印
２１１  エリア
３０１  平板部
３０１ａ  前面
３０１ｂ  後面
３０１ｃ  上面
３０２ａ〜３０２ｂ  軸受部
３０３  軸受部
３１０ａ〜３１０ｄ  通風孔
３１１ａ  軸穴
３１１ｂ  軸穴
３１２    軸穴
３２０ａ  前端
３２０ｂ  後端
３３０  軸
４０１  回転軸
４０２ａ〜コードヒータ４０２ｊ  コードヒータ（発熱部材）
４０３ａ〜４０３ｂ  接続部
４０４  支持部
４０５  表面部
４０６  ローラ部
【図１】
2014215811.tif 000003
【図２】
2014215811.tif 000004
【図４】
2014215811.tif 000005
【図５】
2014215811.tif 000006
【図７】
2014215811.tif 000007
【図８】
2014215811.tif 000008
【図９】
2014215811.tif 000009
【図３】
2014215811.tif 000010
【図６】
2014215811.tif 000011